(57)【要約】【課題】  消火設備の流水検知装置において、弁体のような可動部をなくして小型化する。【解決手段】  消火設備の配管に設けられた流水検知装置であって、差圧による流水を検知することで、配管内の消火剤の流水を検知する。この流水検知装置の本体１０には、流路１３の一部に、内径が狭くなった狭小流路１４ａと広幅流路１４ｂとが形成されている。それぞれの流路１４ａ，１４ｂは、接続配管１６を介して差圧スイッチ２０に接続されている。  差圧スイッチ２０は、磁石２１と、磁石が近づくことにより動作する近接スイッチ２２とから構成される。磁石２１は、差圧検出用流路２４内を移動し、この差圧検出用流路と絶縁部材を介して近接スイッチは設けられる。【選択図】図１
2009244219.tif 000002
【特許請求の範囲】
【請求項１】
消火設備の配管に設けられ、差圧を検知することで、該配管内の消火剤の流水を検知する消火設備の流水検知装置において、
前記流水検知装置は、流路の一部に、内径が狭くなった狭小流路が形成された本体と、前記狭小流路及び該狭小流路よりも広い流路とそれぞれ接続配管を介して接続され、それぞれの流路の差圧を検知する差圧スイッチとを備え、
該差圧スイッチは、磁石と、該磁石が近づくことにより動作する近接スイッチとから構成されることを特徴とする消火設備の流水検知装置。
【請求項２】
該差圧スイッチは、前記接続配管同士が接続される差圧検出用流路を有するスイッチ本体と、該差圧検出用流路内を移動するボール状の磁石と、該差圧検出用流路と絶縁部材を介して設けられた近接スイッチとから構成されることを特徴とする請求項1記載の消火設備の流水検知装置。
【発明の詳細な説明】
【技術分野】
【０００１】
この発明は、消火設備の流水検知装置に関するものである。
【背景技術】
【０００２】
スプリンクラ消火設備などの消火設備は、スプリンクラヘッドが接続された二次側配管の基端側に流水検知装置を備えている。この流水検知装置は、配管内の消火剤（水）の流れを検知するもので、スプリンクラヘッドが動作したときに、配管内の水の流れを検知して、制御盤に流水信号を出力するものである。
【特許文献１】実開平６−７２０６９号公報
【発明の開示】
【発明が解決しようとする課題】
【０００３】
流水検知装置は、特許文献１に示すように、クラッパという弁体を使用したものが一般的であるが、このタイプのものは、流水時に弁体が可動部分となるので、本体内が小型化しにくく、また弁体により配管内を流れるゴミを噛むなどの問題点がある。
【０００４】
そこで、本発明は、弁体のような可動部がなく小型化できる、消火設備の流水検知装置を提供することを目的とする。
【課題を解決するための手段】
【０００５】
本発明は、消火設備の配管に設けられ、差圧を検知することで、該配管内の消火剤の流水を検知する消火設備の流水検知装置において、流水検知装置は、流路の一部に、内径が狭くなった狭小流路が形成された本体と、狭小流路及び該狭小流路よりも広い流路とそれぞれ接続配管を介して接続され、それぞれの流路の差圧を検知する差圧スイッチとを備え、差圧スイッチは、磁石と、磁石が近づくことにより動作する近接スイッチとから構成されることを特徴とするものである。
【発明の効果】
【０００６】
本発明は以上のように構成され、流水検知装置は、流路の一部に、内径が狭くなった狭小流路が形成された本体と、流路における差圧を検知する差圧スイッチとから構成されている。
【０００７】
このため、弁体のような可動部を無くすことができ、本体を小型化することができる。また、可動部をなくすことで、弁体がゴミ等を噛むという不具合もなくすことができる。
【発明を実施するための最良の形態】
【０００８】
本発明の実施形態を図面を用いて説明する。図１は本実施形態の流水検知装置の断面図である。図２は差圧スイッチの断面図である。図において、１０は流水検知装置の本体で、２０は差圧スイッチである。本体１０は、内部に流路１３を有したストレートの円筒状に形成されている。この本体１０は消火設備の配管に設けられて、差圧を検知することで、配管内の消火剤の流水を検知する消火設備の流水検知装置である。
【０００９】
本体１０は、両端部にフランジ１１、フランジ１２を有する。また、フランジ１１，１２は、ボルトの挿通穴１１ａ、１２ａを有し、図示しない消火設備の配管のフランジ部分と本体１０のフランジ１１，１２を合わせて、挿通穴１１ａ、１２ａにボルトを挿入して、ナットで締めて消火設備の配管に固定するようにしてある。
【００１０】
１４ａは本体１０の流路１３の一部に形成された狭小流路である。狭小流路１４ａは、本体１０のほぼ中間部に設けられ、流路１３の内径が狭くなった部分である。このように、本体１０の流路１３は、フランジ１２のある一次側が、径の大きい広幅流路１４ｂとなっており、その広幅流路１４ｂに対して径の小さい狭小流路１４ａが本体１０の中央に形成された、ベンチュリー型の形状となっている。
【００１１】
１５ａ、１５ｂは貫通路で、本体１０を互いに平行に貫通して設けられた２つの通路である。貫通路１５ａは、狭小流路１４ａのある部分から外部と通じるように設けられ、貫通路１５ｂは、流路１３が広くなっている部分（広幅流路１４ｂ）から外部と通じるように設けられている。
【００１２】
貫通路１５ａ、１５ｂの出口部分は、接続配管１６ａ、１６ｂを介して差圧スイッチ２０と接続されている。つまり、差圧スイッチ２０は、狭小流路１４ａ及びその狭小流路１４ａよりも広い流路１４ｂとそれぞれ接続配管１６ａ、１６ｂを介して接続され、
それぞれの流路１３の差圧を検知する。より正確に言えば、流路１３の流水による差圧を検知する。
【００１３】
図２に示すように、差圧スイッチ２０は、ボール状の磁石２１と、磁石２１が近づくことより動作する近接スイッチ２２とから構成されている。ボール状の磁石２１は、例えば円柱状の磁石でもよく、この磁石は上面側が例えばＮ極になっており、近接スイッチ２２であるリードスイッチに近づくと、近接スイッチ２２が動作するようになっている。
【００１４】
より詳しく説明すれば、差圧スイッチ２０は、接続配管１６ａ，１６ｂ同士が接続される差圧検出用流路２４を有するスイッチ本体２５から構成されている。差圧検出用流路２４は、断面コ字状に形成され、ボール状の磁石２１は、その垂直流路２４ｃ内を移動するように設けられる。垂直流路２４ｃの下方には、径が小さくなったストッパ部２６が形成され、ボール状の磁石２１は、ストッパ部２６で止まっている。垂直流路２４ｃの上部には、絶縁部材２７を介して近接スイッチ２２が設けられている。なお、ボール状の磁石２１の外径と垂直配管２４ｃの内径はほぼ等しく形成され、ボール状の磁石２１が回転して、絶縁部材２７と接触する磁石の極性が変化することを制限するようにしてある。
【００１５】
なお図１において、１７は本体１０に設けられたボール弁であり、スプリンクラヘッドの交換などをする際、水の流れを停止させたい場合に回転させて、二次側（フランジ１１側）に水が流れるのを防止するためのものである。このボール弁１７に形成した開口１７ｃには、本体１０に設けた貫通路を介して配管が接続される。この配管にはテスト用の排水弁３０と圧力計３１とが接続されている。
【００１６】
次にこの流水検知装置の動作について説明する。まず、この流水検知装置の本体１０は、フランジ１１，１２を介して、例えばスプリンクラ消火設備の配管に接続されているものする。配管内および流水検知装置の流路１３内は、消火剤としての水が充水されている。
【００１７】
ここで、火災が発生し、図示しないスプリンクラヘッドが動作すると、スプリンクラヘッドから水が放水され、配管内および流水検知装置の流路１３内に水が流れることになる。
【００１８】
流路１３内に水が流れると、流路１３は、その中間部が、内径が狭くなった狭小流路１４ａとなっていることから、狭小流路１４ａでの水の流れは早くなり、その流速は、径の広い広幅流路１４ｂに比べて早くなる。このため、狭小流路１４ａでの圧力は、広幅流路１４ｂの圧力よりも小さくなって差圧により発生する流水が生じる。
【００１９】
このことから、狭小流路１４ａ及び広幅流路１４ｂとそれぞれ接続配管１６ａ、１６ｂを介して接続された差圧スイッチ２０は、それぞれの流路１４ａ、１４ｂにおける差圧により発生する流水を検知することになる。つまり、差圧検出用流路２４を構成する垂直配管２４ｃには、下方から上方に向かって水が流れることになる。このため、ストッパ部２６で停止していたボール状の磁石２１は、垂直配管２４ｃの流水によって上方へと持ち上げられ、絶縁部材２７と接触する。この磁石２１が近づくことにより、近接スイッチ２２が動作して、図示しない制御盤に流水信号を出力する。このようにして、差圧を検知することで、流路１３内の消火剤の流水を検知することができる。
【００２０】
火災鎮火後、ボール弁１７を９０°回転させて、水の流れを停止させてから、動作したスプリンクラヘッドを新しいものに交換する。このようにして、消火設備を初期状態に復旧させて、再び配管内に水を満たす。水の流水がなくなれば、ボール状の磁石２１は、その重みで、垂直配管２４ｃを落下して、絶縁部材２７及び近接スイッチ２２から離れるので、流水信号の出力はなくなる。
【００２１】
本発明では、流水検知装置は、流路の一部に、内径が狭くなった狭小流路１４ａが形成されて、流路１３に水が流れるときに、狭小流路１４ａにおける水の流れを早くして、他の部分との差圧を生じさせて、差圧を検知することで、流水を検知している。このため、弁体のような可動部を無くすことができ、本体１０を小型化することができる。また、可動部をなくすことで、弁体がゴミ等を噛むという不具合もなくすことができる。また差圧スイッチ２０のスイッチ本体２５は、接続配管１６ａ，１６ｂにねじ込むだけで取り付けられ、着脱が容易なので、流水検知装置の流水検知部の交換などのメンテナンス作業が容易である。
【図面の簡単な説明】
【００２２】
【図１】本実施形態の流水検知装置の断面図である。
【図２】差圧スイッチの断面図である。
【符号の説明】
【００２３】
１０  本体、  １１  フランジ、  １２  フランジ、  １３  流路、
１４ａ  狭小流路、  １４ｂ  広幅流路、  １５  貫通路、
１６  接続配管、  １７  ボール弁、  ２０  差圧スイッチ、
２１    磁石、  ２２  近接スイッチ、  ２４  差圧検出用流路、
２５  スイッチ本体、  ２６  ストッパ部、  ２７  絶縁部材、  ｔｔ
３０  排水弁、  ３１  圧力計、
【図１】
2009244219.tif 000003
【図２】
2009244219.tif 000004